(57)【特許請求の範囲】
【請求項１】
端末装置と無線により通信する無線通信部と、
前記無線通信部により前記端末装置と無線により通信する信号の遅延に関する情報を取得する遅延情報取得部と、
前記遅延情報取得部により取得された情報に基づいて前記端末装置により通信に使用することが可能な周波数を判定する周波数判定部と、
前記周波数判定部により判定された前記周波数を使用して、キャリアアグリゲーションの処理を実行するキャリアアグリゲーション実行部と、を備え、
前記周波数判定部は、前記遅延が所定の第１閾値以下である場合に、キャリアアグリゲーションに使用される周波数を、前記端末装置により通信に使用することが可能な周波数として、判定し、
前記周波数判定部により判定された前記周波数を使用して、Ｍｏｂｉｌｉｔｙ  Ｌｏａｄ  Ｂａｌａｎｃｉｎｇの処理を実行する負荷分散実行部を備え、
前記周波数判定部は、前記遅延が所定の第２閾値以下である場合に、負荷分散に使用される周波数を、前記端末装置により通信に使用することが可能な周波数として、判定する、
基地局装置。
【請求項２】
前記遅延に関する情報と前記通信に使用することが可能な周波数との対応を記憶する対応記憶部を備え、
前記周波数判定部は、前記対応記憶部により記憶された前記対応に基づいて、前記周波数を判定する、
請求項１に記載の基地局装置。
【請求項３】
前記遅延情報取得部は、前記無線通信部により送信された下りリンクの無線フレームに応じて前記端末装置から送信されて前記無線通信部により受信された上りリンクの無線フレームの送信タイミングの補正値に基づいて、前記情報を取得する、
請求項１または請求項２のいずれか１項に記載の基地局装置。
【請求項４】
前記遅延情報取得部は、前記端末装置が自装置に最初にアクセスする際に送信するランダムアクセスチャネルに対して前記無線通信部により前記端末装置へ送信される前記送信タイミングの補正値に基づいて前記情報を取得する、
請求項３に記載の基地局装置。
【請求項５】
前記遅延情報取得部は、前記送信タイミングの補正値に基づいて前記端末装置についての往復遅延時間を算出し、当該往復遅延時間に基づいて前記情報を取得する、
請求項３または請求項４のいずれか１項に記載の基地局装置。
【請求項６】
前記遅延に関する情報は、距離の情報である、
請求項１から請求項５のいずれか１項に記載の基地局装置。
【請求項７】
無線通信部が、端末装置と無線により通信し、
遅延情報取得部が、前記無線通信部により前記端末装置と無線により通信する信号の遅延に関する情報を取得し、
周波数判定部が、前記遅延情報取得部により取得された情報に基づいて前記端末装置により通信に使用することが可能な周波数を判定し、
キャリアアグリゲーション実行部が、前記周波数判定部により判定された前記周波数を使用して、キャリアアグリゲーションの処理を実行し、
前記周波数判定部は、前記遅延が所定の第１閾値以下である場合に、キャリアアグリゲーションに使用される周波数を、前記端末装置により通信に使用することが可能な周波数として、判定し、
負荷分散実行部が、前記周波数判定部により判定された前記周波数を使用して、Ｍｏｂｉｌｉｔｙ  Ｌｏａｄ  Ｂａｌａｎｃｉｎｇの処理を実行し、
前記周波数判定部は、前記遅延が所定の第２閾値以下である場合に、負荷分散に使用される周波数を、前記端末装置により通信に使用することが可能な周波数として、判定する、
基地局装置における通信方法。
【請求項８】
基地局装置が備えるコンピュータに、
端末装置と無線により通信する第１ステップと、
前記端末装置と無線により通信する信号の遅延に関する情報を取得する第２ステップと、
取得された情報に基づいて前記端末装置により通信に使用することが可能な周波数を判定する第３ステップと、
判定された前記周波数を使用して、キャリアアグリゲーションの処理を実行する第４ステップと、
判定された前記周波数を使用して、Ｍｏｂｉｌｉｔｙ  Ｌｏａｄ  Ｂａｌａｎｃｉｎｇの処理を実行する第５ステップと、
を実行させるためのプログラムであって、
前記第３ステップでは、前記遅延が所定の第１閾値以下である場合に、キャリアアグリゲーションに使用される周波数を、前記端末装置により通信に使用することが可能な周波数として、判定し、また、前記遅延が所定の第２閾値以下である場合に、負荷分散に使用される周波数を、前記端末装置により通信に使用することが可能な周波数として、判定する、
プログラム。
【発明の詳細な説明】
【技術分野】
【０００１】
本発明は、基地局装置、通信方法およびプログラムに関する。
【背景技術】
【０００２】
基地局装置と端末装置とが無線により通信する無線通信システムがある。端末装置は、いずれかの基地局装置と無線接続して当該基地局装置に収容され、当該基地局装置と無線により通信する。
ここで、１個の基地局装置が複数の異なる周波数を使用して無線により通信する機能を有する場合があり、また、１個の端末装置がこれら複数の異なる周波数を使用して無線により通信する機能を有する場合がある。この場合、当該基地局装置は、当該端末装置に対して、無線通信に使用する周波数の割り当て（初期的な割り当て、あるいは、切り替えの割り当て）を行う。これにより、周波数間（ｉｎｔｅｒ−ｆｒｅｑ）のキャリアアグリゲーション（ＣＡ：Ｃａｒｒｉｅｒ  Ａｇｇｒｅｇａｔｉｏｎ）あるいは周波数間の負荷分散（ＭＬＢ：Ｍｏｂｉｌｉｔｙ  Ｌｏａｄ  Ｂａｌａｎｃｉｎｇ）などが実現可能である。
【先行技術文献】
【非特許文献】
【０００３】
【非特許文献１】３ＧＰＰ（３ｒｄ  Ｇｅｎｅｒａｔｉｏｎ  Ｐａｒｔｎｅｒｓｈｉｐ  Ｐｒｏｊｅｃｔ）、ＴＳ３６．３３１、“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｒａｄｉｏ  Ｒｅｓｏｕｒｃｅ  Ｃｏｎｔｒｏｌ（ＲＲＣ）；Ｐｒｏｔｏｃｏｌ  Ｓｐｅｃｉｆｉｃａｔｉｏｎ”、Ｖ１２．１．０（２０１４−０３）
【非特許文献２】３ＧＰＰ（３ｒｄ  Ｇｅｎｅｒａｔｉｏｎ  Ｐａｒｔｎｅｒｓｈｉｐ  Ｐｒｏｊｅｃｔ）、ＴＳ３６．２１１、“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ”、Ｖ１２．１．０（２０１４−０３）
【非特許文献３】３ＧＰＰ（３ｒｄ  Ｇｅｎｅｒａｔｉｏｎ  Ｐａｒｔｎｅｒｓｈｉｐ  Ｐｒｏｊｅｃｔ）、ＴＳ３６．２１３、“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｌａｙｅｒ  ｐｒｏｃｅｄｕｒｅｓ”、Ｖ１２．３．０（２０１４−０９）
【発明の概要】
【発明が解決しようとする課題】
【０００４】
しかしながら、基地局装置では、現在割り当てられている周波数で無線により通信している端末装置について、他の異なる周波数（異周波数）を割り当てる際には、当該異周波数に関する測定（Ｍｅａｓｕｒｅｍｅｎｔ）を行う必要があった。このＭｅａｓｕｒｅｍｅｎｔでは、例えば、ＲＲＣメッセージの送受信、あるいは、Ｍｅａｓｕｒｅｍｅｎｔ  ＧＡＰの処理が必要であり、多大な時間がかかる場合があり、端末装置において多大な電力消費（例えば、電池の電力の消費）が生じる場合があった。
【０００５】
本発明は、このような事情を考慮してなされたもので、異周波数のＭｅａｓｕｒｅｍｅｎｔをせずに異周波数の割り当てを行うことができる基地局装置、通信方法およびプログラムを提供することを課題とする。
【課題を解決するための手段】
【０００６】
上記の課題を解決するために、本発明の一態様に係る基地局装置は、端末装置と無線により通信する無線通信部と、前記無線通信部により前記端末装置と無線により通信する信号の遅延に関する情報を取得する遅延情報取得部と、前記遅延情報取得部により取得された情報に基づいて前記端末装置により通信に使用することが可能な周波数を判定する周波数判定部と、前記周波数判定部により判定された前記周波数を使用して、キャリアアグリゲーションの処理を実行するキャリアアグリゲーション実行部と、を備え、前記周波数判定部は、前記遅延が所定の第１閾値以下である場合に、キャリアアグリゲーションに使用される周波数を、前記端末装置により通信に使用することが可能な周波数として、判定し、前記周波数判定部により判定された前記周波数を使用して、Ｍｏｂｉｌｉｔｙ  Ｌｏａｄ  Ｂａｌａｎｃｉｎｇの処理を実行する負荷分散実行部を備え、前記周波数判定部は、前記遅延が所定の第２閾値以下である場合に、負荷分散に使用される周波数を、前記端末装置により通信に使用することが可能な周波数として、判定する、基地局装置である。
【０００７】
本発明の一態様は、基地局装置において、前記遅延に関する情報と前記通信に使用することが可能な周波数との対応を記憶する対応記憶部を備え、前記周波数判定部は、前記対応記憶部により記憶された前記対応に基づいて、前記周波数を判定する、構成が用いられてもよい。
【０００８】
本発明の一態様は、基地局装置において、前記遅延情報取得部は、前記無線通信部により送信された下りリンクの無線フレームに応じて前記端末装置から送信されて前記無線通信部により受信された上りリンクの無線フレームの送信タイミングの補正値に基づいて、前記情報を取得する、構成が用いられてもよい。
【０００９】
本発明の一態様は、基地局装置において、前記遅延情報取得部は、前記端末装置が自装置に最初にアクセスする際に送信するランダムアクセスチャネルに対して前記無線通信部により前記端末装置へ送信される前記送信タイミングの補正値に基づいて前記情報を取得する、構成が用いられてもよい。
【００１０】
本発明の一態様は、基地局装置において、前記遅延情報取得部は、前記送信タイミングの補正値に基づいて前記端末装置についての往復遅延時間を算出し、当該往復遅延時間に基づいて前記情報を取得する、構成が用いられてもよい。
【００１１】
本発明の一態様は、基地局装置において、前記遅延に関する情報は、距離の情報である、構成が用いられてもよい。
【００１４】
上記の課題を解決するために、本発明の一態様に係る通信方法は、無線通信部が、端末装置と無線により通信し、遅延情報取得部が、前記無線通信部により前記端末装置と無線により通信する信号の遅延に関する情報を取得し、周波数判定部が、前記遅延情報取得部により取得された情報に基づいて前記端末装置により通信に使用することが可能な周波数を判定し、キャリアアグリゲーション実行部が、前記周波数判定部により判定された前記周波数を使用して、キャリアアグリゲーションの処理を実行し、前記周波数判定部は、前記遅延が所定の第１閾値以下である場合に、キャリアアグリゲーションに使用される周波数を、前記端末装置により通信に使用することが可能な周波数として、判定し、負荷分散実行部が、前記周波数判定部により判定された前記周波数を使用して、Ｍｏｂｉｌｉｔｙ  Ｌｏａｄ  Ｂａｌａｎｃｉｎｇの処理を実行し、前記周波数判定部は、前記遅延が所定の第２閾値以下である場合に、負荷分散に使用される周波数を、前記端末装置により通信に使用することが可能な周波数として、判定する、基地局装置における通信方法である。
【００１５】
上記の課題を解決するために、本発明の一態様に係るプログラムは、基地局装置が備えるコンピュータに、端末装置と無線により通信する第１ステップと、前記端末装置と無線により通信する信号の遅延に関する情報を取得する第２ステップと、取得された情報に基づいて前記端末装置により通信に使用することが可能な周波数を判定する第３ステップと、判定された前記周波数を使用して、キャリアアグリゲーションの処理を実行する第４ステップと、判定された前記周波数を使用して、Ｍｏｂｉｌｉｔｙ  Ｌｏａｄ  Ｂａｌａｎｃｉｎｇの処理を実行する第５ステップと、を実行させるためのプログラムであって、前記第３ステップでは、前記遅延が所定の第１閾値以下である場合に、キャリアアグリゲーションに使用される周波数を、前記端末装置により通信に使用することが可能な周波数として、判定し、また、前記遅延が所定の第２閾値以下である場合に、負荷分散に使用される周波数を、前記端末装置により通信に使用することが可能な周波数として、判定する、プログラムである。
【発明の効果】
【００１６】
本発明によれば、異周波数のＭｅａｓｕｒｅｍｅｎｔをせずに異周波数の割り当てを行うことができる。
【図面の簡単な説明】
【００１７】
【図１】本発明の一実施形態に係る無線通信システムの概略的な構成を示すブロック図である。
【図２】本発明の一実施形態に係る基地局装置の概略的な構成を示すブロック図である。
【図３】本発明の一実施形態に係るキャリアアグリゲーションおよび負荷分散に関する端末装置ごとの可否を格納したテーブルの一例を示す図である。
【図４】本発明の一実施形態に係る端末装置ごとの遅延時間および距離を格納したテーブルの一例を示す図である。
【図５】本発明の一実施形態に係る遅延時間および距離と使用可能周波数との対応を格納したテーブルの一例を示す図である。
【図６】本発明の一実施形態に係る距離と使用可能周波数との対応を説明するための図である。
【図７】本発明の一実施形態に係る基地局装置と端末装置とが無線接続を確立する処理の手順の一例を示すシーケンス図である。
【図８】本発明の一実施形態に係る基地局装置において行われる処理の手順の一例を示すフローチャートである。
【発明を実施するための形態】
【００１８】
以下、図面を参照し、本発明の実施形態について説明する。
図１は、本発明の一実施形態に係る無線通信システム１の概略的な構成を示すブロック図である。
無線通信システム１は、基地局装置１１と、端末装置３１−１〜３１−３（「ユーザ」等と呼ばれてもよい）を備える。
基地局装置１１は、当該基地局装置１１の通信エリア２１に存在する端末装置３１−１〜３１−３と無線接続して収容し、当該端末装置３１−１〜３１−３と無線により通信する。
各端末装置３１−１〜３１−３は、例えば、スマートフォン等の携帯電話端末装置などである。
【００１９】
なお、図１では、１個の基地局装置１１を示したが、無線通信システム１は複数の基地局装置を備える。
また、図１では、３個の端末装置３１−１〜３１−３を示したが、通常は、無線通信システム１はさらに多数の端末装置を備える。
本実施形態では、ＬＴＥ（Ｌｏｎｇ  Ｔｅｒｍ  Ｅｖｏｌｕｔｉｏｎ）のシステムを想定しており、基地局装置１１はｅＮＢ（ｅｖｏｌｖｅｄ  Ｎｏｄｅ  Ｂ）であり、各端末装置３１−１〜３１−３はＵＥ（Ｕｓｅｒ  Ｅｑｕｉｐｍｅｎｔ）である。
【００２０】
図２は、本発明の一実施形態に係る基地局装置１１の概略的な構成を示すブロック図である。
基地局装置１１は、無線通信部１０１と、有線通信部１０２と、入出力部１０３と、記憶部１０４と、制御部１０５を備える。制御部１０５は、遅延情報取得部１２１と、周波数判定部１２２と、キャリアアグリゲーション実行部１２３と、負荷分散実行部１２４を備える。
【００２１】
無線通信部１０１は、端末装置３１−１〜３１−３と無線により通信する。
有線通信部１０２は、他の基地局装置あるいは上位の装置と有線により通信する。なお、この通信は、無線により行われてもよい。
入出力部１０３は、情報を入力すること、および、情報を出力することを行う。
一例として、入出力部１０３は、操作部を有しており、オペレータ（人）が当該操作部に対して行った操作に応じた情報を入力する。一例として、入出力部１０３は、他の装置から情報を入力する。なお、オペレータは、例えば、通信事業者であってもよく、または、それ以外の一般のユーザであってもよい。
一例として、入出力部１０３は、表示部を有しており、当該表示部の画面に情報を表示する。一例として、入出力部１０３は、音出力部を有しており、当該音出力部から音の情報を出力する。一例として、入出力部１０３は、他の装置に情報を出力する。
記憶部１０４は、情報を記憶する。
【００２２】
制御部１０５は、基地局装置１１における各種の処理の制御を行う。制御部１０５は、本実施形態で示される制御以外の制御を行ってもよい。
遅延情報取得部１２１は、自装置（基地局装置１１）と端末装置３１−１〜３１−３との無線通信で発生する遅延に関する情報（本実施形態において、「遅延情報」という）を取得する。
周波数判定部１２２は、端末装置３１−１〜３１−３に関して、遅延情報取得部１２１により取得された遅延情報に基づいて、当該端末装置３１−１〜３１−３との無線通信に割り当てる周波数を判定する。
キャリアアグリゲーション実行部１２３は、キャリアアグリゲーションの処理を実行する。
負荷分散実行部１２４は、負荷分散の処理を実行する。
【００２３】
図３は、本発明の一実施形態に係るキャリアアグリゲーションおよび負荷分散に関する端末装置３１−１〜３１−３ごとの可否を格納したテーブル１０１１の一例を示す図である。
テーブル１０１１は、記憶部１０４に記憶される。
テーブル１０１１は、端末装置３１−１〜３１−３の識別情報（本実施形態において、「端末ＩＤ」という）と、当該端末装置３１−１〜３１−３のキャリアアグリゲーションの可否（本実施形態において、「ＣＡ可否」という）と、当該端末装置３１−１〜３１−３の負荷分散の可否（本実施形態において、「ＭＬＢ可否」という）と、を対応付けて格納している。また、当該テーブル１０１１は、ＣＡ可否およびＭＬＢ可否の欄において、当該端末装置３１−１〜３１−３により無線通信に使用することが可能な周波数を格納している。
【００２４】
図３の例では、端末ＩＤが００１である端末装置（例えば、端末装置３１−１）は、キャリアアグリゲーションが可能であり、キャリアアグリゲーションにおいて周波数ｆ１と周波数ｆ２（ｆ１とｆ２とは異なる値）を使用することが可能であり、負荷分散が可能であり、負荷分散において周波数ｆ１と周波数ｆ２を使用することが可能である。
また、端末ＩＤが００２である端末装置（例えば、端末装置３１−２）についても、端末ＩＤが００１である端末装置と同様である。
また、端末ＩＤが００３である端末装置（例えば、端末装置３１−３）は、キャリアアグリゲーションが不可であり、負荷分散が不可であり、周波数ｆ１のみを使用することが可能である。
【００２５】
なお、本実施形態では、各端末装置３１−１〜３１−３において、キャリアアグリゲーションと負荷分散とで、使用することが可能な周波数が異なり得るとしており、実施の可否および使用することが可能な周波数を別々に管理している。
他の構成例として、各端末装置３１−１〜３１−３において、キャリアアグリゲーションと負荷分散とで、使用することが可能な周波数が同じである構成が用いられてもよい。この構成では、基地局装置１１では、各端末装置３１−１〜３１−３について、キャリアアグリゲーションと負荷分散とで、実施の可否および使用することが可能な周波数を、まとめて共通に管理してもよい。
【００２６】
ここで、テーブル１０１１に格納される情報は、例えば、基地局装置１１と各端末装置３１−１〜３１−３とがはじめに無線接続するときに、当該各端末装置３１−１〜３１−３から当該基地局装置１１に送信される。これにより、当該基地局装置１１の制御部１０５は、当該情報を取得して、テーブル１０１１に格納する。
【００２７】
図４は、本発明の一実施形態に係る端末装置３１−１〜３１−３ごとの遅延時間および距離を格納したテーブル１０２１の一例を示す図である。
テーブル１０２１は、記憶部１０４に記憶される。
テーブル１０２１は、端末装置３１−１〜３１−３の識別情報（端末ＩＤ）と、当該端末装置３１−１〜３１−３との無線通信で発生する遅延時間と、当該遅延時間に対応する距離と、を対応付けて格納している。当該距離は、基地局装置１１と各端末装置３１−１〜３１−３との距離であり、推定値でもよい。
ここで、通常、遅延時間が大きい方が距離が大きく、遅延時間が小さい方が距離が小さい。
【００２８】
図４の例では、端末ＩＤが００１である端末装置（例えば、端末装置３１−１）は、遅延時間が０．１（単位は秒などであり、以下も同様）であり、距離が５（単位はメートルなどであり、以下も同様）である。
また、端末ＩＤが００２である端末装置（例えば、端末装置３１−２）は、遅延時間が０．３であり、距離が１５である。
また、端末ＩＤが００３である端末装置（例えば、端末装置３１−３）は、遅延時間が０．２であり、距離が１０である。
図４の例では、遅延情報取得部１２１は、遅延時間と距離とが比例する関係式を用いて、遅延時間から距離を算出する。他の構成例として、比例以外の関係式が用いられてもよい。
【００２９】
ここで、テーブル１０２１に格納される遅延時間の情報は、例えば、基地局装置１１と各端末装置３１−１〜３１−３とがはじめに無線接続するときに、当該基地局装置１１の遅延情報取得部１２１がＵＬ  Ｔｉｍｉｎｇ補正値（ＴＡ  Ｃｏｍｍａｎｄ）を用いて取得して、テーブル１０２１に格納する。また、遅延情報取得部１２１は、遅延時間の情報に基づいて、距離の情報を算出して、テーブル１０２１に格納する。
【００３０】
図５は、本発明の一実施形態に係る遅延時間および距離と使用可能周波数との対応を格納したテーブル１０３１の一例を示す図である。
テーブル１０３１は、記憶部１０４に記憶される。本実施形態では、テーブル１０３１に格納される情報は、例えば、あらかじめ設定されて記憶される。また、テーブル１０３１に格納される情報は、例えば、上位の装置などから受信されて、設定（書き換えでもよい）されて記憶されてもよい。
【００３１】
テーブル１０３１は、遅延時間と、距離と、キャリアアグリゲーションの可否およびキャリアアグリゲーションにおいて使用することが可能な周波数（本実施形態において、「使用可能周波数（ＣＡ）」という）と、負荷分散の可否および負荷分散において使用することが可能な周波数（本実施形態において、「使用可能周波数（ＭＬＢ）」という）と、を対応付けて格納している。
ここで、遅延時間と距離との関係式としては、図４に示されるテーブル１０２１に格納される遅延時間と距離との関係式と同じ式が用いられる。
【００３２】
図５の例では、基地局装置１１と端末装置３１−１〜３１−３との無線通信における遅延時間が０．２１を超える場合（当該基地局装置１１と当該端末装置３１−１〜３１−３との距離が１０．５を超える場合）には、その距離の観点から、当該基地局装置１１と当該端末装置３１−１〜３１−３との無線通信では周波数ｆ２のみを使用することが可能であり、キャリアアグリゲーションが不可であり、負荷分散が不可である。
一方、基地局装置１１と端末装置３１−１〜３１−３との無線通信における遅延時間が０．２１以下である場合（当該基地局装置１１と当該端末装置３１−１〜３１−３との距離が１０．５以下である場合）には、その距離の観点から、当該基地局装置１１と当該端末装置３１−１〜３１−３との無線通信では周波数ｆ１および周波数ｆ２を使用することが可能であり、キャリアアグリゲーションが可能であり、負荷分散が可能である。
【００３３】
ここで、本実施形態では、キャリアアグリゲーションが可能か否かを判定する遅延時間に関する第１閾値が０．２１（距離に関する第１閾値が１０．５）である。
また、本実施形態では、負荷分散が可能か否かを判定する遅延時間に関する第２閾値が０．２１（距離に関する第２閾値が１０．５）である。
本実施形態では、キャリアアグリゲーションに関する第１閾値と、負荷分散に関する第２閾値とで、同じ値が用いられるが、他の構成例として、異なる値が用いられてもよい。
【００３４】
なお、本実施形態では、キャリアアグリゲーションと負荷分散とで、その可否が異なり得るとしており、実施の可否を別々に管理している。
他の構成例として、キャリアアグリゲーションと負荷分散とで、その可否が同じである構成が用いられてもよい。この構成では、基地局装置１１では、キャリアアグリゲーションと負荷分散とで、実施の可否を、まとめて共通に管理してもよい。
【００３５】
また、本実施形態では、任意の端末装置３１−１〜３１−３について、図５に示されるテーブル１０３１に格納される情報が共通に適用され得るとしている。他の構成例として、基地局装置１１では、図５に示されるテーブル１０３１のような複数種類のテーブルを記憶しておき、各端末装置３１−１〜３１−３ごとに、複数種類のうちで対応する１個のテーブルに格納された情報を参照する、構成が用いられてもよい。
【００３６】
図６は、本発明の一実施形態に係る距離と使用可能周波数との対応を説明するための図である。
図６には、基地局装置１１と、当該基地局装置１１の全体の通信エリア２１と、当該全体の通信エリア２１のうちで近傍の通信エリア（近傍通信エリア２１１）および遠方の通信エリア（遠方通信エリア２２１）と、２個の端末装置３１−１、３１−２を示してある。
【００３７】
ここで、全体の通信エリア２１は、図１に示されるものと同じである。
全体の通信エリア２１のうちで、基地局装置１１からの距離が所定の閾値以下である部分の領域を近傍通信エリア２１１としてある。また、全体の通信エリア２１のうちで、基地局装置１１からの距離が当該所定の閾値を超える部分の領域を遠方通信エリア２２１としてある。近傍通信エリア２１１と遠方通信エリア２２１とを合わせた領域が全体の通信エリア２１となる。ここで、距離に関する当該所定の閾値は、図５に示されるテーブル１０３１の例では、１０．５（遅延時間では０．２１）である。
【００３８】
図６の例では、端末装置３１−１は基地局装置１１の近傍通信エリア２１１に存在する。一方、端末装置３１−２は基地局装置１１の遠方通信エリア２２１に存在する。
一般に、低い周波数を使用する無線通信の方が、高い周波数を使用する無線通信と比べて、遠方の領域まで通信が可能となる。
本実施形態では、周波数ｆ１＝２ＧＨｚとし、周波数ｆ２＝８００ＭＨｚとする。そして、本実施形態では、基地局装置１１と近傍通信エリア２１１に存在する端末装置３１−１（他の端末装置についても同様）とは、周波数ｆ１および周波数ｆ２のうちの任意の周波数を使用して無線通信を行うことが可能であるとする。また、本実施形態では、基地局装置１１と遠方通信エリア２２１に存在する端末装置３１−２（他の端末装置についても同様）とは、周波数ｆ２のみを使用して無線通信を行うことが可能であるとする。この情報は、例えば、あらかじめまたは任意のタイミングで、計算あるいは測定により決められて、図５に示されるテーブル１０３１に設定される。
【００３９】
図７は、本発明の一実施形態に係る基地局装置１１と端末装置３１−１とが無線接続を確立する処理の手順の一例を示すシーケンス図である。なお、端末装置３１−１以外の端末装置についても同様である。
ここで、本シーケンスとしては、一般に知られているシーケンスが用いられてもよい。
【００４０】
（処理Ｔ１）
基地局装置１１は、自装置（当該基地局装置１１）のセル（通信エリア）の配下に存在する端末装置３１−１に対して、ランダムアクセスチャネル（ＲＡＣＨ：Ｒａｎｄｏｍ  Ａｃｃｅｓｓ  Ｃｈａｎｎｅｌ）に関連するパラメータを報知する。端末装置３１−１は、当該パラメータを受信する。
（処理Ｔ２）
端末装置３１−１は、受信されたパラメータを用いて、基地局装置１１に対してＲＡＣＨを送信する。基地局装置１１は、当該ＲＡＣＨを受信する。これにより、基地局装置１１では、遅延情報取得部１２１は、端末装置３１−１との無線通信における遅延量（本実施形態では、往復遅延量）を検出することが可能である。
（処理Ｔ３）
基地局装置１１は、端末装置３１−１に対して、ＵＬ  Ｔｉｍｉｎｇ補正値（ＴＡ  Ｃｏｍｍａｎｄ）を送信する。端末装置３１−１は、当該ＵＬ  Ｔｉｍｉｎｇ補正値を受信する。
（処理Ｔ４）
端末装置３１−１は、基地局装置１１に対して、ＵＬデータを送信する。基地局装置１１は、当該ＵＬデータを受信する。
ここで、ＵＬ  Ｔｉｍｉｎｇ補正値（ＴＡ  Ｃｏｍｍａｎｄ）は、基地局装置１１と端末装置３１−１との無線通信における往復遅延量を補正するためのコマンドである。基地局装置１１がＵＬ  Ｔｉｍｉｎｇ補正値を端末装置３１−１に送信することで、端末装置３１−１から基地局装置１１への上り（ＵＬ：Ｕｐ  Ｌｉｎｋ）の信号の送信タイミングの調整を行う。
基地局装置１１では、遅延情報取得部１２１は、ＵＬ  Ｔｉｍｉｎｇ補正値に基づいて、端末装置３１−１との距離を検出することが可能である。なお、ＵＬ  Ｔｉｍｉｎｇ補正値と、距離との関係は、例えば、あらかじめ設定されて記憶部１０４に記憶されてもよい。
【００４１】
このように、本実施形態では、遅延情報取得部１２１は、無線通信部１０１により送信された下りリンクの無線フレームに応じて、端末装置３１−１から送信されて無線通信部１０１により受信された上りリンクの無線フレームの送信タイミングの補正値（本実施形態では、ＵＬ  Ｔｉｍｉｎｇ補正値）に基づいて、情報を取得する。また、遅延情報取得部１２１は、端末装置３１−１が自装置（基地局装置１１）に最初にアクセスする際に送信するランダムアクセスチャネル（ＲＡＣＨ）に対して無線通信部１０１により端末装置３１−１へ送信される送信タイミングの補正値に基づいて情報を取得する。遅延情報取得部１２１は、送信タイミングの補正値に基づいて端末装置３１−１についての往復遅延時間（往復遅延量）を算出し、当該往復遅延時間に基づいて情報を取得する。
【００４２】
図８は、本発明の一実施形態に係る基地局装置１１において行われる処理の手順の一例を示すフローチャートである。
図８の例では、基地局装置１１と端末装置３１−１とで通信を行う場合を示すが、他の端末装置３１−２〜３１−３についても同様である。
【００４３】
（ステップＳ１）
基地局装置１１において、制御部１０５は、端末装置３１−１との無線通信によって、当該端末装置３１−１に関する情報（本実施形態において、「端末情報」という）を取得する。当該端末情報には、例えば、端末ＩＤの情報、キャリアアグリゲーションに使用することが可能な周波数の情報、負荷分散に使用することが可能な周波数の情報が含まれてもよい。制御部１０５は、取得された端末情報を、図３に示されるテーブル１０１１に格納する。
【００４４】
（ステップＳ２）
基地局装置１１において、遅延情報取得部１２１は、端末装置３１−１との無線通信における遅延情報を取得する。遅延情報取得部１２１は、取得された遅延情報を、図４に示されるテーブル１０２１に格納する。
【００４５】
（ステップＳ３）
基地局装置１１において、周波数判定部１２２は、図３に示されるテーブル１０１１に格納された情報と、図４に示されるテーブル１０２１に格納された情報と、図５に示されるテーブル１０３１に格納された情報に基づいて、端末装置３１との無線通信において、所定の処理に使用することが可能な周波数を判定する。
ここで、本実施形態では、当該所定の処理として、キャリアアグリゲーションの処理と、負荷分散の処理が用いられている。
【００４６】
（ステップＳ４）
基地局装置１１において、キャリアアグリゲーション実行部１２３は、端末装置３１−１について、周波数判定部１２２によりキャリアアグリゲーションの処理に使用することが可能であると判定された周波数を使用して、キャリアアグリゲーションの処理を実行する。
また、基地局装置１１において、負荷分散実行部１２４は、端末装置３１−１について、周波数判定部１２２により負荷分散の処理に使用することが可能であると判定された周波数を使用して、負荷分散の処理を実行する。
【００４７】
以上のように、本実施形態に係る無線通信システム１における基地局装置１１では、キャリアアグリゲーションあるいは負荷分散を行うことが可能な遅延（または、距離でもよい）をあらかじめ設定しておく。そして、基地局装置１１では、各端末装置３１−１〜３１−３との無線通信における遅延（または、距離でもよい）を検出し、その検出の結果に基づいて、キャリアアグリゲーションあるいは負荷分散に使用することが可能な周波数を判定する。
これにより、本実施形態に係る無線通信システム１における基地局装置１１では、各端末装置３１−１〜３１−３ごとに、異周波数のＭｅａｓｕｒｅｍｅｎｔをせずに異周波数の割り当てを行うことができる。そして、基地局装置１１では、キャリアアグリゲーションあるいは負荷分散を行うことが可能な端末装置については、これらを実行することが可能である。このように、異周波数のＭｅａｓｕｒｅｍｅｎｔの省略が可能となることにより、当該Ｍｅａｓｕｒｅｍｅｎｔに要する処理時間の短縮化が可能であり、端末装置において当該Ｍｅａｓｕｒｅｍｅｎｔに要する電力消費を省略することが可能である。
【００４８】
一構成例として、端末装置（図１の例では、端末装置３１−１〜３１−３）と無線により通信する無線通信部（図２の例では、無線通信部１０１）と、無線通信部により端末装置と無線により通信する信号の遅延に関する情報を取得する遅延情報取得部（図２の例では、遅延情報取得部１２１）と、遅延情報取得部により取得された情報に基づいて端末装置により通信に使用することが可能な周波数を判定する周波数判定部（図２の例では、周波数判定部１２２）と、を備える基地局装置（図１の例では、基地局装置１１）である。
一構成例として、基地局装置において、遅延に関する情報と通信に使用することが可能な周波数との対応（図５の例では、テーブル１０３１に格納された情報）を記憶する対応記憶部（図２の例では、記憶部１０４）を備え、周波数判定部は、対応記憶部により記憶された対応に基づいて、周波数を判定する。
一構成例として、基地局装置において、遅延情報取得部は、無線通信部により送信された下りリンクの無線フレームに応じて端末装置から送信されて無線通信部により受信された上りリンクの無線フレームの送信タイミングの補正値に基づいて、情報を取得する。
一構成例として、基地局装置において、遅延情報取得部は、端末装置が自装置（当該基地局装置）に最初にアクセスする際に送信するランダムアクセスチャネル（ＲＡＣＨ）に対して無線通信部により端末装置へ送信される送信タイミングの補正値に基づいて情報を取得する。
一構成例として、基地局装置において、遅延情報取得部は、送信タイミングの補正値に基づいて端末装置についての往復遅延時間を算出し、当該往復遅延時間に基づいて情報を取得する。
一構成例として、基地局装置において、遅延に関する情報は、距離の情報である。
一構成例として、基地局装置において、周波数判定部により判定された周波数を使用して、キャリアアグリゲーションの処理を実行するキャリアアグリゲーション実行部（図２の例では、キャリアアグリゲーション実行部１２３）を備え、周波数判定部は、遅延が所定の第１閾値以下である場合に、キャリアアグリゲーションに使用される周波数を、端末装置により通信に使用することが可能な周波数として、判定する。
一構成例として、基地局装置において、周波数判定部により判定された周波数を使用して、負荷分散の処理を実行する負荷分散実行部（図２の例では、負荷分散実行部１２４）を備え、周波数判定部は、遅延が所定の第２閾値以下である場合に、負荷分散に使用される周波数を、端末装置により通信に使用することが可能な周波数として、判定する。
【００４９】
一構成例として、無線通信部が、端末装置と無線により通信し、遅延情報取得部が、無線通信部により端末装置と無線により通信する信号の遅延に関する情報を取得し、周波数判定部が、遅延情報取得部により取得された情報に基づいて端末装置により通信に使用することが可能な周波数を判定する、基地局装置における通信方法（図１の例では、基地局装置１１において行われる通信方法）である。
一構成例として、基地局装置が備えるコンピュータに、端末装置と無線により通信するステップと、端末装置と無線により通信する信号の遅延に関する情報を取得するステップと、取得された情報に基づいて端末装置により通信に使用することが可能な周波数を判定するステップと、を実行させるためのプログラム（図１の例では、基地局装置１１において実行されるプログラム）である。
【００５０】
以上、本発明の実施形態について図面を参照して詳述したが、具体的な構成はこの実施形態に限られるものではなく、本発明の要旨を逸脱しない範囲の設計変更等も含まれる。
【００５１】
また、以上に示した実施形態に係る各装置（例えば、基地局装置１１、端末装置３１−１〜３１−３など）の機能を実現するためのプログラムをコンピュータ読み取り可能な記録媒体に記録して、この記録媒体に記録されたプログラムをコンピュータシステムに読み込ませ、実行することにより、処理を行ってもよい。
なお、ここでいう「コンピュータシステム」とは、オペレーティング・システム（ＯＳ：Ｏｐｅｒａｔｉｎｇ  Ｓｙｓｔｅｍ）あるいは周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことをいう。
さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピュータシステムに既に記録されているプログラムとの組み合わせで実現できるもの、いわゆる差分ファイル（差分プログラム）であってもよい。
【符号の説明】
【００５２】
１…無線通信システム、１１…基地局装置、２１…通信エリア、３１−１〜３１−３…端末装置、１０１…無線通信部、１０２…有線通信部、１０３…入出力部、１０４…記憶部、１０５…制御部、１２１…遅延情報取得部、１２２…周波数判定部、１２３…キャリアアグリゲーション実行部、１２４…負荷分散実行部、１０１１、１０２１、１０３１…テーブル、２１１…近傍通信エリア、２２１…遠方通信エリア
【図１】
0006543165.tif 000002
【図２】
0006543165.tif 000003
【図３】
0006543165.tif 000004
【図４】
0006543165.tif 000005
【図５】
0006543165.tif 000006
【図６】
0006543165.tif 000007
【図７】
0006543165.tif 000008
【図８】
0006543165.tif 000009